(57)【要約】【課題】  本考案は犬の排便時に糞が地面に落ちる前にキャッチすることが出来、かつ地面に落ちた糞を掴み取ることも出来る糞取り器である。【解決手段】  トング１の先に厚手の樹脂等で出来た耐久性のある袋２を接合し、その中に糞処理用の薄手のビニール袋３を装着し、犬の肛門部分に近づけて糞をキャッチする。またトングは、袋を取り付けてある先端部分と取手部分に分かれ、その接続部はピン４で接合され、バネ５により自在に折れ曲がるようになっていて、糞処理用の薄手のビニール袋を装着したのちトングをひっくり返し、ぴったり接地させてから挟むことにより地面に落ちている糞も器具や手を汚すことなく確実に掴み取ることが出来る。糞を取った後はフック６によりトングを挟んだ状態で固定することにより臭いもなく、糞がこぼれ落ちる心配もないうえ、糞が見えなくなるため不快感がない。【選択図】図１
0003209846.tif 000002
【実用新案登録請求の範囲】
【請求項１】
トングの先に厚手の樹脂等で出来た耐久性のある袋を接合し、その中に糞処理用の薄手のビニール袋を装着し、犬の肛門部分に近づけて糞をキャッチする器具である。
【請求項２】
請求項１のトングは袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も確実に掴み取ることが出来る器具である。
【請求項３】
フックによりトングを挟んだ状態で固定することが出来る請求項１及び請求項２に記載の糞取器具である。
【考案の詳細な説明】
【技術分野】
【０００１】  本考案は、トングに耐久性のある袋を接合した犬の糞取り器に関するものである。
【背景技術】
【０００２】  犬は毎日の散歩が大事であり、その際の糞の始末をきちんと行うことが必要であるが、飼い主にとって大きな負担となっている。
【考案の概要】
【考案が解決しようとする課題】
【０００３】  犬の糞の始末はこれまで新聞紙や糞取り器具を用いて地面に落ちた糞を直接掴み取る方法や、糞取り器具を用いて排便時に地面に落ちる前にキャッチする方法などで行われてきたが、両方を行える器具については満足のいくものがなかった。
【課題を解決するための手段】
【０００４】  本考案は、トングの先に厚手の樹脂等で出来た耐久性のある袋を接合し、その中に糞処理用の薄手のビニール袋を装着し、犬の肛門部分に近づけて糞をキャッチする器具である。【０００５】  又トングは、袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も確実に掴み取ることが出来る。【０００６】  さらに糞を取った後はフックによりトングを挟んだ状態で固定することにより、臭いもなく糞がこぼれ落ちる心配もないうえ、糞が見えなくなるため不快感がない。
【考案の効果】
【０００７】  犬の糞の始末はこれまで新聞紙や器具を用いて地面に落ちた糞を直接掴み取る方法、排便時に地面に落ちる前にキャッチする方法などで行われてきたが、本考案はその両方を確実に行えるものであり、犬の散歩時の苦労を軽減し、快適に散歩を行うことが出来る。又散歩時以外に犬小屋の周りで排便してしまった場合の処理や、家の周りに放置してあるよその犬や猫の糞の始末にも威力を発揮する。
【図面の簡単な説明】
【０００８】
【図１】本考案の犬の糞取り器の一実施例を示す斜視図面である。
【図２】本考案の地面に落ちた犬の糞を取る場合の一実施例を示す正面図である。
【考案を実施するための形態】
【０００９】  トングの先に厚手の樹脂等で出来た耐久性のある袋を接合し、その中に糞処理用の薄手のビニール袋を装着し、犬の肛門部分に近づけて糞をキャッチする器具である。糞処理用の薄手の袋はスーパーの生鮮品等を入れるビニール袋などを利用することが出来る。ビニール袋はトングの先に接続した袋の中にぴったり押し込み装着するため、ずり落ちる心配はない。またビニール袋の開口部を少し出し、トングの先端部分を包み込むようにして装着することにより器具を汚す心配もない。
【００１０】  又トングは、袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も器具や手を汚すことなく確実に掴み取ることが出来る。
【００１１】  糞を取った後はフックによりトングを挟んだ状態で固定することにより、臭いもなく糞がこぼれ落ちる心配もないうえ、糞が見えなくなるため不快感がない。糞を持ち帰った後はフックを外してトングを開き、糞処理用の薄手のビニール袋を取り出し廃棄する。
【実施例】
【００１２】  以下添付図面に従って一実施例を説明する。トング１の先に厚手の樹脂等で出来た耐久性のある袋２を接合し、その中に糞処理用の薄手のビニール袋３を装着し、犬の肛門部分に近づけて糞をキャッチする。【００１３】  トングは、袋を取り付けてある先端部分と取手部分に分かれており、その接続部はピン４で接合され、バネ５により自在に折れ曲がるようになっていて、糞処理用の薄手のビニール袋を装着したのちトングをひっくり返し、犬の糞に覆い被せたうえで先端部分を地面に押し付けて折り曲げ、ぴったり接地させてから挟むことにより地面に落ちている糞も器具や手を汚すことなく確実に掴み取ることが出来る。【００１４】  糞を取った後はフック６によりトングを挟んだ状態で固定することにより臭いもなく、糞がこぼれ落ちる心配もないうえ、糞が見えなくなるため不快感がない。
【符号の説明】
【００１５】１  トング本体
２  トングに接合された袋
３  糞を処理するビニール袋
４  トングを接続するピン
５  トングの接続部を自在にするバネ
６  トングを挟んだ状態で固定するフック
【図１】
0003209846.tif 000003
【図２】
0003209846.tif 000004
【手続補正書】
【提出日】平成29年2月2日(2017.2.2)
【手続補正１】
【補正対象書類名】実用新案登録請求の範囲
【補正対象項目名】全文
【補正方法】変更
【補正の内容】
【実用新案登録請求の範囲】
【請求項１】
トングの先に厚手の樹脂で出来た耐久性のある袋を接合し、その中に糞処理用の薄手のビニール袋を装着し、犬の肛門部分に近づけて糞をキャッチする器具
【請求項２】
前記トングは袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も確実に掴み取ることが出来る請求項１に記載の器具
【請求項３】
フックによりトングを挟んだ状態で固定することが出来る請求項１又は請求項２に記載の器具
【手続補正２】
【補正対象書類名】明細書
【補正対象項目名】全文
【補正方法】変更
【補正の内容】
【考案の詳細な説明】
【技術分野】
【０００１】  本考案は、トングに耐久性のある袋を接合した犬の糞取り器に関するものである。
【背景技術】
【０００２】  犬は毎日の散歩が大事であり、その際の糞の始末をきちんと行うことが必要であるが、飼い主にとって大きな負担となっている。
【考案の概要】
【考案が解決しようとする課題】
【０００３】  犬の糞の始末はこれまで新聞紙や糞取り器具を用いて地面に落ちた糞を直接掴み取る方法や、糞取り器具を用いて排便時に地面に落ちる前にキャッチする方法などで行われてきたが、両方を行える器具については満足のいくものがなかった。
【課題を解決するための手段】
【０００４】  本考案は、トングの先に厚手の樹脂で出来た耐久性のある袋を接合し、その中に糞処理用の薄手のビニール袋を装着し、犬の肛門部分に近づけて糞をキャッチする器具である。【０００５】  又トングは、袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も確実に掴み取ることが出来る。【０００６】  さらに糞を取った後はフックによりトングを挟んだ状態で固定することにより、臭いもなく糞がこぼれ落ちる心配もないうえ、糞が見えなくなるため不快感がない。
【考案の効果】
【０００７】  犬の糞の始末はこれまで新聞紙や器具を用いて地面に落ちた糞を直接掴み取る方法、排便時に地面に落ちる前にキャッチする方法などで行われてきたが、本考案はその両方を確実に行えるものであり、犬の散歩時の苦労を軽減し、快適に散歩を行うことが出来る。又散歩時以外に犬小屋の周りで排便してしまった場合の処理や、家の周りに放置してあるよその犬や猫の糞の始末にも威力を発揮する。
【図面の簡単な説明】
【０００８】
【図１】本考案の犬の糞取り器の一実施例を示す斜視図面である。
【図２】本考案の地面に落ちた犬の糞を取る場合の一実施例を示す正面図である。
【考案を実施するための形態】
【０００９】  トングの先に厚手の樹脂で出来た耐久性のある袋を接合し、その中に糞処理用の薄手のビニール袋を装着し、犬の肛門部分に近づけて糞をキャッチする器具である。糞処理用の薄手の袋はスーパーの生鮮品等を入れるビニール袋などを利用することが出来る。ビニール袋はトングの先に接続した袋の中にぴったり押し込み装着するため、ずり落ちる心配はない。またビニール袋の開口部を少し出し、トングの先端部分を包み込むようにして装着することにより器具を汚す心配もない。
【００１０】  又トングは、袋を取り付けてある先端部分と取手部分に分かれており、その接続部はピンで接合され、バネにより自在に折れ曲がるようになっていて、糞処理用の薄手のビニール袋を装着した後トングをひっくり返し、犬の糞に覆い被せたうえで先端部分を地面に押し付けて折り曲げ、ぴったり接地させてから挟むことにより地面に落ちている糞も器具や手を汚すことなく確実に掴み取ることが出来る。
【００１１】  糞を取った後はフックによりトングを挟んだ状態で固定することにより、臭いもなく糞がこぼれ落ちる心配もないうえ、糞が見えなくなるため不快感がない。糞を持ち帰った後はフックを外してトングを開き、糞処理用の薄手のビニール袋を取り出し廃棄する。
【実施例】
【００１２】  以下添付図面に従って一実施例を説明する。トング１の先に厚手の樹脂で出来た耐久性のある袋２を接合し、その中に糞処理用の薄手のビニール袋３を装着し、犬の肛門部分に近づけて糞をキャッチする。【００１３】  トングは、袋を取り付けてある先端部分と取手部分に分かれており、その接続部はピン４で接合され、バネ５により自在に折れ曲がるようになっていて、糞処理用の薄手のビニール袋を装着したのちトングをひっくり返し、犬の糞に覆い被せたうえで先端部分を地面に押し付けて折り曲げ、ぴったり接地させてから挟むことにより地面に落ちている糞も器具や手を汚すことなく確実に掴み取ることが出来る。【００１４】  糞を取った後はフック６によりトングを挟んだ状態で固定することにより臭いもなく、糞がこぼれ落ちる心配もないうえ、糞が見えなくなるため不快感がない。
【符号の説明】
【００１５】１  トング本体
２  トングに接合された袋
３  糞を処理するビニール袋
４  トングを接続するピン
５  トングの接続部を自在にするバネ
６  トングを挟んだ状態で固定するフック